(57)【特許請求の範囲】
【請求項１】
片引き戸が入り込む空間を後方に形成する張出壁の出入口側縁部を構成する縦縁材であって、
前面中央に上下方向に渡る嵌合溝が形成されると共に、上下部の側面形状が相違しているために上下を逆転して使用することが出来ない縦縁材本体と、
前記嵌合溝に嵌まる嵌合部及び前記張出壁本体の前面の縁部を覆う覆い部を有する装飾材と、
前記縦縁材本体の後面に取り付けられ、前記片引き戸との間隙を埋める無数の可撓性短線材を有するスペーサーと
を有しており、
前記縦縁材本体を前記張出壁の左端部の縦縁材として使用する場合においても、前記縦縁材本体を前記張出壁の右端部の縦縁材として使用する場合においても、いずれの場合でも、施工完了後において外部から見えることになる縦縁材本体の部分が化粧されている縦縁材。
【発明の詳細な説明】
【０００１】
【発明の属する技術分野】
本発明は、片引き戸が入り込む空間を後方に形成する張出壁の出入口側縁部を構成する縦縁材に関する。
【０００２】
【従来の技術】
従来、この種の縦縁材の構成部材としては、前面中央より右側に片寄った位置に上下方向に渡る嵌合溝が形成されると共に上下を逆転して使用することが出来ない右引き用縦縁材本体と、前面中央より左側に片寄った位置に上下方向に渡る嵌合溝が形成されると共に上下を逆転して使用することが出来ない左引き用縦縁材本体と、嵌合溝に嵌まる嵌合部及び張出壁本体の前面の縁部を覆う覆い部を有する装飾材との３種類の部材が工場で製造・保管されていた。
そして、片引き戸を右側に引いて開ける部屋を施工する時は、片引き戸が入り込む空間を後方に形成する張出壁の左端部の縦縁材を、右引き用縦縁材本体と装飾材とによって構成し、他方、片引き戸を左側に引いて開ける部屋を施工する時は、片引き戸が入り込む空間を後方に形成する張出壁の右端部の縦縁材を、左引き用縦縁材本体と装飾材とによって構成するようにしていた。
【０００３】
【従来技術の欠点】
前記従来の縦縁材には以下の如き欠点があった。即ち、右引き用縦縁材本体と左引き用縦縁材本体とを別個に製造し、且つ、保管しなければならず、その結果、生産管理・在庫管理が面倒であるという欠点があった。
【０００４】
【課題を解決するための手段】
本発明は前記欠点を解消するために以下の如き手段を採用した。
請求項１の発明は、片引き戸が入り込む空間を後方に形成する張出壁の出入口側縁部を構成する縦縁材であって、前面中央に上下方向に渡る嵌合溝が形成されると共に、上下部の側面形状が相違しているために上下を逆転して使用することが出来ない縦縁材本体と、前記嵌合溝に嵌まる嵌合部及び前記張出壁本体の前面の縁部を覆う覆い部を有する装飾材と、前記縦縁材本体の後面に取り付けられ、前記片引き戸との間隙を埋める無数の可撓性短線材を有するスペーサーとを有しており、前記縦縁材本体を前記張出壁の左端部の縦縁材として使用する場合においても、前記縦縁材本体を前記張出壁の右端部の縦縁材として使用する場合においても、いずれの場合でも、施工完了後において外部から見えることになる縦縁材本体の部分が化粧されているものである。
【０００５】
【発明の作用】
請求項１の発明は以下の如き作用をなすものである。
縦縁材本体を張出壁の左端部の縦縁材として使用する場合においても、縦縁材本体を張出壁の右端部の縦縁材として使用する場合においても、いずれの場合でも、施工完了後において外部から見えることになる縦縁材本体の部分が化粧されているので、１種類の縦縁材本体を、前記いずれの場合にも使用することが出来、生産管理・在庫管理が行ないやすい。
【０００６】
【発明の実施の形態】
以下に本発明の実施の形態を図面を参照しつつ説明する。
なお、この説明において、前とは図１下側を、後とは同図上側をいい、左とは図１左側を、右とは同図右側をいう。
【０００７】
図１に示すごとく、部屋１の側壁２の開口３に嵌め止められた枠６は、左右一対の縦枠材７と、これら縦枠材７の下端に渡し止められた敷居８と、縦枠材７の上端に渡し止められた鴨居９とを有している。
前記縦枠材７は、公知のごとく、前後部に嵌合溝を有する縦枠材本体１１と、嵌合溝に嵌まる嵌合部１４ａ及び側壁２の開口３の縁部を覆う覆い部１４ｂを有する前後一対の装飾材１４とを有している。なお、右側の縦枠材７の縦枠材本体１１の前部は後述する板材２８によって覆われるので、右側の縦枠材７の縦枠材本体１１の前部には装飾材１４は取り付けられない。
前記鴨居９は、公知のごとく、前後部に嵌合溝を有すると共に下面後部にガイド溝１３を有する鴨居本体１２と、嵌合溝に嵌まる嵌合部１４ａ及び側壁２の開口３の縁部を覆う覆い部１４ｂを有する前後一対の装飾材１４とを有している。なお、鴨居９の右半分は後述する板材２８によって覆われるので、鴨居９の右半分には装飾材１４は取り付けられない。
前記敷居８は、下面後部にガイド溝１３を有している。
【０００８】
前記敷居８及び鴨居９のガイド溝１３に片引き戸１８が左右動自在に案内されている。
【０００９】
前記枠６の右側部に、片引き戸１８が入り込む空間２０を後方に形成する張出壁２１が設けられている。この張出壁２１は、側壁２の厚さの半分前後の厚さを有し、片引き戸１８の左右幅前後の左右幅を有するものである。そして、この張出壁２１の左方が出入口２２となされている。
【００１０】
前記張出壁２１は、張出壁本体２４と、張出壁本体２４の左縁部（出入口２２側の縁部）を構成する縦縁材２５とを有している。
前記張出壁本体２４は、所要本の縦横の芯材２７と、これら芯材２７に前後から取り付けられた前後の板材２８とを有しており、前側の板材２８の前面は、部屋１の側壁２の前面と面一となされている。また、前側の板材２８は敷居８を覆うようになされている。
【００１１】
前記縦縁材２５は、前面中央に上下方向に渡る嵌合溝３１が形成されると共に上下を逆転して使用することが出来ない縦縁材本体３２と、嵌合溝３１に嵌まる嵌合部１４ａ及び張出壁本体２４の前面（前側の板材２８の前面）の縁部を覆う覆い部１４ｂを有する装飾材１４とを有している。
前記縦縁材本体３２を張出壁２１の左端部の縦縁材２５として使用する場合においても、縦縁材本体３２を張出壁２１の右端部の縦縁材２５として使用する場合においても、いずれの場合でも、施工完了後において外部から見えることになる縦縁材本体３２の部分が化粧されている。即ち、片引き戸１８を右に引いて開ける部屋を施工する際（図示の部屋を施工する際）でも、逆に、片引き戸１８を左に引いて開ける部屋を施工する際においても、いずれの際においても、施工完了後において外部から見えることになる縦縁材本体３２の部分が化粧されている。
【００１２】
図３に示すごとく、前記縦枠材本体３２の上下部は側面形状が相違しており、そのため、縦枠材本体３２は上下を逆転して使用することが出来ないのである。そして、縦枠材本体３２の上下部は、鴨居本体１２に形成された切欠き３４（工場で既に加工されている）及び敷居８に形成された切欠き３５（工場で既に加工されている）に嵌合されている。このように縦枠材本体３２が切欠き３４及び切欠き３５に嵌合・連結されるようになされているで、施工が簡単である。
前記縦枠材本体３２の後面には、片引き戸１８との間隙を埋める無数の可撓性短線材を有するスペーサー３７が取り付けられている。
【００１３】
【変形例等】
以下に変形例等について説明を加える。
（１）スペーサー３７はない場合もある。
（２）片引き戸１８を左に引いて開ける部屋１の出入口２２付近の水平断面は、図１をその左右方向を中心として裏返した図となる。
（３）縦縁材本体３２を張出壁２１の左端部の縦縁材２５として使用する場合においても、縦縁材本体３２を張出壁２１の右端部の縦縁材２５として使用する場合においても、いずれの場合でも、施工完了後において外部から見えない部分を化粧しても構わない。
【００１４】
【発明の効果】
本発明は前記した如き構成によって以下の如き効果を奏する。
縦縁材本体を張出壁の左端部の縦縁材として使用する場合においても、縦縁材本体を張出壁の右端部の縦縁材として使用する場合においても、いずれの場合でも、施工完了後において外部から見えることになる縦縁材本体の部分が化粧されているので、１種類の縦縁材本体を、前記いずれの場合にも使用することが出来、生産管理・在庫管理が行ないやすい。
【図面の簡単な説明】
【図１】本発明の実施の形態を示す中間省略の簡略水平断面図である。
【図２】図１のＩＩ−ＩＩ線に沿う中間省略の拡大矢視図である。
【図３】図２のＩＩＩ−ＩＩＩ線断面図である。
【図４】図２のＩＶ−ＩＶ線断面図である。
【図５】図２のＶ−Ｖ線断面図である。
【図６】図２のＶＩ−ＶＩ線端面図である。
【図７】図２のＶＩＩ−ＶＩＩ線断面図である。
【図８】図２のＶＩＩＩ−ＶＩＩＩ線断面図である。
【符号の説明】
１４  装飾材
１４ａ  嵌合部
１４ｂ  覆い部
１８  片引き戸
２０  空間
２１  張出壁
２２  出入口
２４  張出壁本体
２５  縦縁材
３１  嵌合溝
３２  縦枠材本体
【図１】
0003872177.tif 000002
【図２】
0003872177.tif 000003
【図３】
0003872177.tif 000004
【図４】
0003872177.tif 000005
【図５】
0003872177.tif 000006
【図６】
0003872177.tif 000007
【図７】
0003872177.tif 000008
【図８】
0003872177.tif 000009